(57)【要約】通信装置で受信したメッセージをフィルタリングする方法である。ルールセットを通信装置に入力し、受信したメッセージを読み取る。ルールセットのルールにメッセージが違反していれば、メッセージを変更し、変更したメッセージを表示する。ルールセットは複数のルールを含み、各ルールはそれぞれ所定のメッセージ内容に関するものである。
2006521590.tif 000002
【特許請求の範囲】
【請求項１】
通信装置で受信したメッセージをフィルタリングする方法であって、
ａ）  通信装置にルールセットを入力するステップ、
ｂ）  受信メッセージを読み取るステップ、
ｃ）  そのメッセージがルールセットのルールに違反する場合、そのメッセージを変更するステップ、そして
ｄ）  変更したメッセージを表示するステップを備え、
前記ルールセットが複数のルールを含み、各ルールがそれぞれに予め定めたメッセージ内容に関するものである
メッセージフィルタリング方法。
【請求項２】
前記メッセージがテキストメッセージである請求項１記載のメッセージフィルタリング方法。
【請求項３】
前記ステップｂ）が、受信したテキストメッセージを構文解析するステップを含む請求項２記載のメッセージフィルタリング方法。
【請求項４】
前記ステップｃ）が、予め定めたテキスト内容を削除するか、予め定めたテキスト内容の文字を無意味な文字に置き換える請求項２または３記載のメッセージフィルタリング方法。
【請求項５】
前記ステップａ）が、通信事業者からルールセットをダウンロードすることにより実行される請求項１乃至４のいずれか一項に記載のメッセージフィルタリング方法。
【請求項６】
通信装置のユーザがそのユーザの要求に合わせてルールセットを変更するステップをさらに備える請求項１乃至５のいずれか一項に記載のメッセージフィルタリング方法。
【請求項７】
通信装置であって、
送受信部、プロセッサおよびディスプレイを備え、
前記プロセッサが、
ルールセットを含むソフトウエア、
受信メッセージを読み取る手段、
そのメッセージがルールセットのルールに違反した場合にメッセージを変更して、変更したメッセージを表示する手段を有し、
前記ルールセットが複数のルールを含み、各ルールセットがそれぞれに予め定めたメッセージ内容に関するものである
通信装置。
【請求項８】
前記ソフトウエアが、装置のユーザがルールセットを変更することを可能にする請求項７記載の通信装置。
【請求項９】
ルールセットを変更するためのプロセッサに接続されたデータ入力手段をさらに備える請求項８記載の通信装置。
【請求項１０】
前記データ入力手段がキーバッドにより構成される請求項９記載の通信装置。
【請求項１１】
前記メッセージがテキストメッセージである場合に、前記ソフトウエアが、受信したテキストメッセージを構文解析する請求項７乃至１０のいずれか一項に記載の通信装置。
【請求項１２】
前記ソフトウエアが、予め定めたテキスト内容を削除するか、予め定めたテキスト内容の文字を無意味な文字に置き換える請求項１１記載の通信装置。
【発明の詳細な説明】
【技術分野】
【０００１】
本発明は、携帯電話のような通信装置で受信したメッセージをフィルタリングする方法に関し、特に、機器のユーザに攻撃的なテキストを削除または変更してテキストメッセージの内容をフィルタリングする方法に関する。
【背景技術】
【０００２】
近年、携帯電話では、ＳＭＳメッセージ（テキストメッセージ）を送信することが益々重要な特徴となっている。移動中にテキストメッセージを送るのは、特に若い人たちの間で、かなり一般的になった。テキストメッセージの受信者は、大抵そのメッセージの送信者を知っているが、例えば広告を目的として、求めてもいないのに送りつけられるメッセージも多い。求めたものか否かにかかわらず、メッセージの中には受信者を不快にするものがあり、また受信者がメッセージを表示して読まなければ、不快なものかどうかを判断することができないため、大きな問題になっている。
【発明の開示】
【発明が解決しようとする課題】
【０００３】
移動体通信事業者は、このようなメッセージの配信を防止する責任を有しており、ユーザの携帯電話に配信されないよう、テキストメッセージをフィルタリングするサーバ技術に投資してきた。しかしながら、各事業者の通信網を通過するメッセージの数は非常に多く、それら全てを確実に処理するには、装置に高い処理能力が要求される。移動体通信事業者がメッセージをフィルタリングする方法のひとつは、（例えば冒涜や人種差別のように、）攻撃的と思われる内容をフィルタリングする総括的なルールセットを利用することである。しかしながら、そのルールは、大部分のユーザが攻撃的とみなす可能性のある内容に関するものでなければならず、一般的なものになる傾向が強い。
【０００４】
本発明の目的は、そのユーザにとって攻撃的な受信メッセージの内容を削除または変更するように受信者がフィルタリングルールを自分に合わせることの可能な、攻撃的な内容を取り除くためのメッセージフィルタリング方法を提供することである。
【課題を解決するための手段】
【０００５】
本発明は、通信装置で受信したメッセージをフィルタリングする方法を提供する。その方法は、
ａ）通信装置にルールセットを入力するステップと、
ｂ）受信したメッセージを解読するステップと、
ｃ）そのメッセージがルールセットのルールに違反していればメッセージを変更するステップと、
ｄ）変更したメッセージを表示するステップと
を備え、そのルールセットが複数のルールを含み、各ルールがそれぞれに予め定めたメッセージの内容に関する。
【０００６】
好ましい実施態様では、メッセージはテキストメッセージである。この場合、ステップｂ）は、受信したテキストメッセージを構文解析するステップを含むようにしてもよい。またステップｃ）は、例えば予め定めたテキスト内容を削除するか、予め定めたテキスト内容の文字を無意味な文字に置き換えるようにしてもよい。
【０００７】
好ましくは、ステップａ）は、通信事業者からルールセットをダウンロードすることにより実行する。
【０００８】
有利には、本方法が、通信装置のユーザがそのユーザの要求に合わせてルールセットを変更するステップをさらに備える。
【０００９】
また本発明は、送受信部、プロセッサおよびディスプレイを備え、プロセッサは、ルールセットを含むソフトウエア、受信メッセージを読み取る手段、そのメッセージがルールセットのルールに違反した場合にメッセージを変更して、変更したメッセージを表示するする手段を有し、ルールセットが複数のルールを含み、各ルールセットがそれぞれに予め定めたメッセージ内容に関する通信装置を提供する。
【００１０】
好ましくは、そのソフトウエアは、装置のユーザがルールセットを変更することを可能にするものである。
【００１１】
好ましい実施態様では、本装置が、ルールセットを変更するためのプロセッサに接続されたデータ入力手段をさらに備える。好都合には、キーパッドでデータ入力手段を構成することができる。
【００１２】
メッセージがテキストメッセージであれば、ソフトウエアは、受信したテキストメッセージを構文解析するようにしてもよく、また予め定めたテキスト内容を削除するか、予め定めたテキスト内容の文字を無意味な文字に置き換えるようにしてもよい。
【発明を実施するための最良の形態】
【００１３】
以下、図面を参照して、本発明の実施例につき詳細に説明する。図面は携帯電話の概略図一つである。
【００１４】
図のように、携帯電話はプロセッサ１、キーパッド２、ディスプレイ３、およびアンテナ４を備えている。キーパッド２は、既に知られているように、テキストメッセージの入力に用いることができる。入力したテキストメッセージはプロセッサ１で処理され、アンテナ４を介して他のユーザの携帯電話に送信される。アンテナ４を介して他のユーザからメッセージを受信すると、プロセッサ１がそのメッセージを処理し、ディスプレイ３上に表示する。
【００１５】
本発明を実現するため、ルールセットをプロセッサ１に入力する。ルールセットは、携帯電話の購入前に入力することもできるし、アンテナ４を介して通信事業者からダウンロードすることもできる。いずれの場合でも、携帯電話のユーザ個人の必要性や移動体通信事業者に応じて、または特定の地域的要件により、ルールセットを変更することができる。例えば地域的要件により、そのときの流行と地理上の位置との両方に基づいて内容をフィルタリングするようにしてもよい。言語は常に変化するため、新しい日常的な用語、とりわけ攻撃的な用語が言語に加わったり消えたりする。さらに、限られた地理上の地域内でのみ攻撃的な意味を有する語句がある（例えば単語「ｆａｇ」には、アメリカ合衆国で侮蔑的な意味があるけれども、イギリスにおいてはそうではない）。また移動体通信事業者には、ルールセットを前もって格納したり、ルールセットをダウンロードしたり、携帯電話上でのユーザによるルールセットの編集を可能にしたりするための設備を用意することができる。
【００１６】
ルールセットには、各受信テキストメッセージを構文解析し、解析したテキストの内容を各ルールについて順番に読み取り、特定のルールに違反しているかどうかを判断するアルゴリズムを用いることができる。例えば、あるルールでは所定の無作法な用語を検索し、他のルールではその他の無作法な用語を検索し、さらに他のルールでは特定の人種差別的な語句を検索する。そのルールセットにより、ソフトウエア（アルゴリズム）は、予め与えたルールにメッセージが違反する場合、そのルールに従ってそのメッセージを処理する。例えば、ルールに違反するテキストの内容を削除したり、そのようなテキストの内容を変更したりする。例えば、そのテキストの文字をアスタリスクのような意味のない文字に置き換えたりする。各ルールでは、与えられた攻撃性の度合いによって異なった変更を行うようにしてもよい。具体的には、いわゆる「四文字」語のリストの一つを検索するルールであれば、ユーザは、当初プロセッサ１に入力した基本的なルールセットを変更するかもしれない。リスト内の様々な用語の攻撃性に対しユーザが見積もった程度によって、実行する対処を変える。テキストの内容について攻撃性が少ないとユーザがみなした場合、ルールセットは、例えばその内容を表示することを許可する。
【００１７】
以上のように図面を参照して説明した本発明に様々な変更を加えることができるのは明らかである。具体的には、データの入力は適当な手段ですればよく、キーバッド２を利用することに限定されるものではない。例えばデータは、ＰＣからダウンロードすることにより入力することができる。また音声認識ソフトウエアを利用してもよい。またこれに関し、データの入力は、テキストメッセージの入力と携帯電話１に含まれるルールセットの変更の両方を含む。本発明が携帯電話で受信したメッセージのフィルタリングに限定されるものでないことは明らかであり、携帯情報端末（ＰＤＡ）や無線ゲーム機のような他の装置に適用することができる。さらに本発明は、携帯電話のような通信装置で受信される他の形式のメッセージをフィルタリングするのにも同様に適用することができ、テキストメッセージの内容をフィルタリングすることに限定されるものではない。
【図面の簡単な説明】
【００１８】
【図１】携帯電話の概略図
2006521590.tif 000003
【手続補正書】
【提出日】平成16年12月24日(2004.12.24)
【手続補正１】
【補正対象書類名】特許請求の範囲
【補正対象項目名】全文
【補正方法】変更
【補正の内容】
【特許請求の範囲】
【請求項１】
移動通信装置で受信したテキストメッセージをフィルタリングする方法であって、
ａ）  ネットワーク事業者からルールセットをダウンロードすることにより、移動通信装置にルールセットを入力するステップ、
ｂ）  受信メッセージを読み取るステップ、
ｃ）  そのメッセージがルールセットのルールに違反する場合、そのメッセージを変更するステップ、そして
ｄ）  変更したメッセージを表示するステップを備え、
前記ルールセットが複数のルールを含み、各ルールがそれぞれに予め定めたメッセージ内容に関するものである
メッセージフィルタリング方法。
【請求項２】
前記メッセージがテキストメッセージである請求項１記載のメッセージフィルタリング方法。
【請求項３】
前記ステップｂ）が、受信したテキストメッセージを構文解析するステップを含む請求項２記載のメッセージフィルタリング方法。
【請求項４】
前記ステップｃ）が、予め定めたテキスト内容を削除するか、予め定めたテキスト内容の文字を無意味な文字に置き換える請求項２または３記載のメッセージフィルタリング方法。
【請求項５】
前記ステップａ）が、通信事業者からルールセットをダウンロードすることにより実行される請求項１乃至４のいずれか一項に記載のメッセージフィルタリング方法。
【請求項６】
移動通信装置で受信したテキストメッセージをフィルタリングする方法であって、
ａ）  移動通信装置にルールセットを入力するステップ、
ｂ）  受信メッセージを読み取るステップ、
ｃ）  そのメッセージがルールセットのルールに違反する場合、そのメッセージを変更するステップ、
ｄ）  変更したメッセージを表示するステップ、そして
ｅ）  通信装置のユーザがルールセットの変更を入力することにより、ユーザの要求に合わせてルールセットを変更するステップを備え、
前記ルールセットが複数のルールを含み、各ルールがそれぞれに予め定めたメッセージ内容に関するものである
メッセージフィルタリング方法。
【請求項７】
移動通信装置であって、
送受信部、プロセッサおよびディスプレイを備え、
前記プロセッサが、
ソフトウエア、
ネットワーク事業者からルールセットをソフトウエアへ入力する手段、
受信メッセージを読み取る手段、
そのメッセージがルールセットのルールに違反した場合にメッセージを変更して、変更したメッセージを表示する手段を有し、
前記ルールセットが複数のルールを含み、各ルールセットがそれぞれに予め定めたメッセージ内容に関するものである
移動通信装置。
【請求項８】
前記ソフトウエアが、装置のユーザがルールセットを変更することを可能にする請求項７記載の移動通信装置。
【請求項９】
ルールセットを変更するためのプロセッサに接続されたデータ入力手段をさらに備える請求項８記載の移動通信装置。
【請求項１０】
前記データ入力手段がキーバッドにより構成される請求項９記載の移動通信装置。
【請求項１１】
前記メッセージがテキストメッセージである場合に、前記ソフトウエアが、受信したテキストメッセージを構文解析する請求項７乃至１０のいずれか一項に記載の移動通信装置。
【請求項１２】
前記ソフトウエアが、予め定めたテキスト内容を削除するか、予め定めたテキスト内容の文字を無意味な文字に置き換える請求項１１記載の移動通信装置。
【請求項１３】
移動通信装置であって、
送受信部、プロセッサおよびディスプレイを備え、
前記プロセッサが、
ルールセットを含むソフトウエア、
ユーザがルールセットの変更を入力すると、ユーザの要求に合わせてルールセットを変更する手段、
受信メッセージを読み取る手段、
そのメッセージがルールセットのルールに違反した場合にメッセージを変更して、変更したメッセージを表示する手段を有し、
前記ルールセットが複数のルールを含み、各ルールセットがそれぞれに予め定めたメッセージ内容に関するものである
移動通信装置。
【国際調査報告】
2006521590.tif 000004
2006521590.tif 000005
2006521590.tif 000006